(57)【要約】【課題】チェンカバーとカッターカバーを一体化して、脱穀フィードチェンと共に揺動開閉可能な構成とすることで、メンテナンス作業の効率化を図る。【解決手段】脱穀フィードチェン（９）と挟持レール（１０）とによって穀稈を挟持搬送しがら扱室（１１）内に供給された穀稈穂先部の脱穀処理を行う脱穀挟持搬送装置において、脱穀フィードチェン（９）の外側部を覆うチェンカバー（１４ａ）と脱穀後の排藁を切断処理する排藁カッター（８）部の外側部を覆うカッターカバー（１４ａ）とを一体化して脱穀チェンカバー（１４）を構成すると共に、脱穀フィードチェン（９）を、脱穀チェンカバー（１４）と共に始端側を回動中心として機体の内外へ揺動開閉可能に構成する。【選択図】      図６
2011024524.tif 000002
【特許請求の範囲】
【請求項１】
脱穀フィードチェン（９）と挟持レール（１０）とによって穀稈を挟持搬送しがら扱室（１１）内に供給された穀稈穂先部の脱穀処理を行う脱穀挟持搬送装置において、脱穀フィードチェン（９）の外側部を覆うチェンカバー（１４ａ）と脱穀後の排藁を切断処理する排藁カッター（８）部の外側部を覆うカッターカバー（１４ａ）とを一体化して脱穀チェンカバー（１４）を構成すると共に、前記脱穀フィードチェン（９）を、脱穀チェンカバー（１４）と共に始端側を回動中心として機体の内外へ揺動開閉可能に構成してあることを特徴とするコンバイン。
【請求項２】
前記脱穀チェンカバー（１４）の内側には、脱穀フィードチェン（９）の終端部の下方及び脱穀部のカウンタプーリ部（２１）の上方を覆うべくガードするガード体（１８）を、前記脱穀フィードチェン（９）を支持するメインフレーム（１５）とチェンレール（１７）との間に連結して設けたことを特徴とする請求項１記載のコンバイン。
【請求項３】
前記脱穀チェンカバー（１４）の内側には、カウンタプーリ部（２１）の下方を覆うべくガードするプーリカバー体（１９）を前記ガード体（１８）に連結して設けたことを特徴とする請求項１又は請求項２記載のコンバイン。
【請求項４】
前記脱穀チェンカバー（１４）の内側には、前記ガード体（１８）とプーリカバー体（１９）との後部側にチェンカバー支持部材（２０）を連結して設けたことを特徴とする請求項１又は請求項２又は請求項３記載のコンバイン。
【発明の詳細な説明】
【技術分野】
【０００１】
この発明は、扱室内に穀稈を供給して脱穀する脱穀部と脱穀後の排藁を切断処理する排藁カッターを備えたコンバインに関する。
【背景技術】
【０００２】
従来、例えば、特許文献１には、脱穀フィードチェンと挟持レールとによって穀稈を挟持搬送しながら脱穀処理する脱穀装置において、脱穀フィードチェンは、このチェンの外側を覆うチェンカバーと共に始端側を中心として機体の内外に揺動開閉できるようにした脱穀フィードチェンの開閉構造が開示されている。
【先行技術文献】
【特許文献】
【０００３】
【特許文献１】特許第２９３００６３号公報
【発明の概要】
【発明が解決しようとする課題】
【０００４】
脱穀フィードチェンの揺動開閉は、脱穀装置内部の点検・清掃等のメンテナンスが容易に行えるようにするために行うものであるが、脱穀後の排藁を切断処理する排藁カッター部のメンテを行うためには、カッター部の外側部を覆うカッターカバーをいちいち取り外す作業を行わなければならず、メンテナンス作業が煩雑なものとなる問題があった。
【０００５】
本発明の課題は、チェンカバーとカッターカバーを一体化して、脱穀フィードチェンと共に揺動開閉可能な構成とすることで、メンテナンス作業の効率化を図る。
【課題を解決するための手段】
【０００６】
この発明は、上記課題を解決すべく次のような技術的手段を講じた。
すなわち、請求項１記載の発明は、脱穀フィードチェン（９）と挟持レール（１０）とによって穀稈を挟持搬送しがら扱室（１１）内に供給された穀稈穂先部の脱穀処理を行う脱穀挟持搬送装置において、脱穀フィードチェン（９）の外側部を覆うチェンカバー（１４ａ）と脱穀後の排藁を切断処理する排藁カッター（８）部の外側部を覆うカッターカバー（１４ａ）とを一体化して脱穀チェンカバー（１４）を構成すると共に、前記脱穀フィードチェン（９）を、脱穀チェンカバー（１４）と共に始端側を回動中心として機体の内外へ揺動開閉可能に構成してあることを特徴とするコンバインとする。
【０００７】
扱室（１１）内の扱胴（１２）や選別室内の揺動選別棚（３５）等の脱穀装置内部及び排藁カッター（８）部の点検、清掃等のメンテナンスを行う場合には、脱穀フィードチェン（９）を、チェンカバー（１４ａ）とカッターカバー（１４ｂ）とからなる脱穀チェンカバー（１４）と共に、始端側を回動中心として外側方へ揺動開放させる。これにより、脱穀装置の側部が開放され、脱穀装置内部のメンテナンスが行える状態となり、また、同時に排藁カッター（８）部の側部も開放されるので、排藁カッター（８）部を後方に揺動開放することによって該排藁カッター（８）の内部のメンテナンスが容易に行える状態となる。
【０００８】
請求項２記載の発明は、前記脱穀チェンカバー（１４）の内側には、脱穀フィードチェン（９）の終端部の下方及び脱穀部のカウンタプーリ部（２１）の上方を覆うべくガードするガード体（１８）を、前記脱穀フィードチェン（９）を支持するメインフレーム（１５）とチェンレール（１７）との間に連結して設けたことを特徴とする請求項１記載のコンバインとする。
【０００９】
ガード体（１８）は、脱穀フィードチェン（９）の終端部から持ち回りされる藁屑を受けて前方下方に向けて案内落下させる役目を果たし、カウンタプーリ部（２１）への藁屑の落下を防ぐことができる。また、このガード体（１８）は、チェンレール（１７）とメインフレーム（１５）を接続することで、脱穀フィードチェン（９）の支持構成が強固に保持される。
【００１０】
請求項３記載の発明は、前記脱穀チェンカバー（１４）の内側には、カウンタプーリ部（２１）の下方を覆うべくガードするプーリカバー体（１９）を前記ガード体（１８）に連結して設けたことを特徴とする請求項１又は請求項２記載のコンバインとする。
【００１１】
安全カバーの役目をなすプーリカバー体（１９）は、脱穀フィードチェン（９）のオープンによって同時に開放することができ、ベルトの交換、着脱が容易となる。また、脱穀フィードチェン（９）のオープンによりプーリカバー体に付着した藁屑等の除去が容易となる。
【００１２】
請求項４記載の発明は、前記脱穀チェンカバー（１４）の内側には、前記ガード体（１８）とプーリカバー体（１９）との後部側にチェンカバー支持部材（２０）を連結して設けたことを特徴とする請求項１又は請求項２又は請求項３記載のコンバインとする。
【００１３】
チェンカバー支持部材（２０）は、ガード体（１８）とプーリカバー体（１９）との後部側で連結保持されるので、脱穀フィードチェン（９）の支持構成が一層強固なものとなり、脱穀チェンカバー（１４）を脱穀部終端まで長く設けても、そのチェンカバー支持部材によって脱穀チェンカバー（１４）を安定よく支持することができる。
【発明の効果】
【００１４】
請求項１記載の発明によれば、脱穀装置内部及び排藁カッター（８）部の点検、清掃等のメンテナンスを行う場合には、脱穀フィードチェン（９）を、脱穀チェンカバー（１４）と共に、始端側を回動中心として外側方へ揺動開放させることができるので、脱穀装置の側部が開放され、脱穀装置内部のメンテナンスが容易に行える。また、同時に排藁カッター（８）部の側部も開放されるので、排藁カッター（８）部を後方に揺動開放することによって該排藁カッター（８）の内部のメンテナンスも容易に行うことができ、メンテナンス作業の効率化を図ることができる。
【００１５】
請求項２記載の発明によれば、上記請求項１記載の発明の効果に加えて、ガード体（１８）は、脱穀フィードチェン（９）の終端部から持ち回りされる藁屑を受けて前方下方に向けて案内落下させることができるので、カウンタプーリ部（２１）への藁屑の落下を防ぐことができ、また、このガード体（１８）は、チェンレール（１７）とメインフレーム（１５）を接続することで、脱穀フィードチェン（９）の支持構成が強固なものとなり、安定よく保持される。
【００１６】
請求項３記載の発明によれば、請求項１又は請求項２記載の発明の効果を奏するものでありながら、プーリカバー体（１９）は、脱穀フィードチェン（９）のオープンによって同時に開放することができるので、ベルトの交換や着脱が容易となり、脱穀フィードチェン（９）のオープンによりプーリカバー体（１９）に付着した藁屑等も容易に除去することができる。
【００１７】
請求項４記載の発明によれば、請求項１又は請求項２又は請求項３記載の発明の効果を奏するものでありながら、チェンカバー支持部材（２０）は、ガード体（１８）とプーリカバー体（１９）との後部側に連結保持するので、脱穀フィードチェン（９）の支持構成が一層強固なものとなり、脱穀チェンカバー（１４）を脱穀部終端まで長く設けても、このチェンカバー支持部材（２０）に安定よく支持することができる。
【図面の簡単な説明】
【００１８】
【図１】コンバインの側面図
【図２】同上正面図
【図３】脱穀装置の側面図
【図４】同上要部の側面図
【図５】同上要部の平面図
【図６】脱穀装置の要部の平面図
【図７】コンバイン要部の背面図
【図８】脱穀装置の要部の正面図
【図９】汎用コンバインの要部の平面図
【図１０】同上要部の側面図
【図１１】同上要部の側面図
【発明を実施するための形態】
【００１９】
この発明の実施例を図面に基づき説明する。
図１は、コンバイン要部の側面図を示すものであり、この走行車体１には、左右一対の走行クローラ２，２を備え、後部に搭載した脱穀装置（脱穀部）３の前方部に刈取部４を設置し、刈取部の横側部には運転席５や操作ボックス６等からなる運転操作部を備え、更に、その運転操作部の後方には脱穀粒を一時的に貯留するグレンタンク７を装備している。また、脱穀部３の後部には脱穀後の排藁を切断処理する排藁カッター８を装備している。
【００２０】
脱穀部３は、脱穀フィードチェン９と挟持レール１０により株元を挟持しながら搬送される穀稈の穂先部を扱室１１内で駆動回転する扱胴１２により脱穀処理するよう構成している。扱胴１２の上部を覆う扱胴カバー１３は、扱室の一側を支点として揺動開閉可能で、前記挟持レール１０と一体的に揺動開閉する構成としている。
【００２１】
脱穀フィードチェン９の外側部を覆うチェンカバー１４ａと、脱穀後の排藁を切断処理する排藁カッター部の外側部を覆うカッターカバー１４ｂを一体化して一連の脱穀チェンカバー１４を構成している。
【００２２】
脱穀チェンカバー１４は、主にメインフレーム１５やチェンレール１７、後記するチェンカバー支持部材２０などに係止保持されようになっている。
ガード体１８は、脱穀フィードチェン９の終端部の下方及びカウンタプーリ部２１の上方を覆うべく配置され、フィードチェン９終端より持ち回りされ下方に落下しようとする藁屑を受けて下方のカウンタプーリ部２１に落ち込まないように前方下方に向けて案内すべく斜設され、前記メインフレーム１５とチェンレール１７との間に連結保持されている。
【００２３】
プーリカバー体１９は、カウンタプーリ部２１の下方を覆うべくガードするよう構成され、前記ガード体１８に連結保持されている。
チェンカバー支持部材２０は、前記ガード体１８とプーリカバー体１９の後部側に連結保持され、三者一体的に構成されている。
【００２４】
そして、脱穀フィードチェン９は、脱穀チェンカバー１４と共に始端側の縦支軸１６を回動中心として機体の内外へ揺動開閉可能に構成されている。なお、縦支軸１６は、チェンレール１７を支持するメインフレーム１５の前端部を下方に屈曲すると共に、懸架台２２に接近するよう内方に曲げてメインフレームそのものを回動支点軸とし、軸受部材２３に軸受保持させた構成としている。また、脱穀フィードチェンへの動力伝達は、該脱穀フィードチェンの揺動開閉によって入り切りするように連動構成されている。
【００２５】
カウンタプーリ部２１は、排藁カッター８へのカッタ駆動ベルトを巻回するカウンタプーリ２１ａと、排塵ファン２６へのファン駆動ベルト２７を巻回するカウンタプーリ２１ｂとからなる構成である。
【００２６】
ロック・ロック解除用ハンドル２８の操作でロックを解除し、脱穀フィードチェンを外側方にオープンすると、扱室の側部及び選別室の側部が開放され、また、カウンタプーリ部２１、ファン駆動ベルト２７及びカッタ駆動ベルト２５の外側が開放される。従って、脱穀装置内の掃除やメンテ、ベルトの交換、カッタ駆動ベルトを外して排藁カッターを後方へ揺動開放してカッター部内の掃除やメンテを行うことができる。
【００２７】
なお、図中、２９はカバーフック、３０は網押え、３１はフィードチェン駆動スプロケット、３２はフィードチェン駆動ギヤケース、３３は１・２番ラセン駆動ベルト、３４はベルトカバー、３５は揺動選別棚、３６は排塵処理胴を示す。
【００２８】
次に、汎用コンバインの実施例について説明する。図９及び図１０に示す実施例は、掻込リール４０ａ付刈取部４０のテーブル下方に設置したキャスター４３を利用し、刈取部４０と刈取部のフィーダハウス４１及びスレッシャ型脱穀部４２全体を、縦軸芯Ｑ回りで機体左側方へ旋回オープンするように構成したものにおいて、オープン時は刈取部と脱穀部との回動部をロックさせることで、刈取部と脱穀部との回動部が固定され、オープン時走行フレームからオーバハングした脱穀部をキャスター４３で支持できるように構成したものである
つまり、かかる実施例では、走行フレーム３８上に旋回フレーム３９を縦軸芯Ｑ回りに旋回可能に構成して設け、この旋回フレーム３９上には脱穀部４２を搭載し、旋回フレーム３９が走行フレーム３８上をスライド移動するよう構成されている。走行フレーム３８と旋回フレーム３９との間にはロック及びロック解除可能なロック解除機構４３が設けられている。また、刈取部４０は、左右横方向に架設された横軸４５を回動中心として上下に回動する構成であり、刈取上下シリンダー４６の伸縮作動によって昇降する。そして、刈取脱穀部の旋回オープン時には、図１１に示すように、刈取部４０が横軸４５芯回りに回動しないようにロックピン４７によってロックする構成としている。これによれば、刈取部と脱穀部との横軸による回動部がロックされるので、刈取脱穀部の旋回オープンがスムースに行える。
【００２９】
刈取上下シリンダー４６は、旋回フレーム３９と刈取部のフィーダハウス４１間で支持する構成になっており、刈取脱穀部と一体で旋回オープンすることができる。
また、旋回オープン時には、刈取上下シリンダー４６の伸縮をロックさせるためにロックプレート４８（図１１参照）を介してロックする構成とすることもでき、刈取部と脱穀部の回動部が固定され、旋回オープンがスムースに行える。
【００３０】
旋回フレーム３９と刈取部のフィーダハウス４１間には、刈取上下シリンダ４６と平行してダンパー４９を設け、ダンパー４９の一端側をシリンダ４６と同様に旋回フレーム３９側に支持させることによって、これらダンパー４９、シリンダー４６を取り外すことなく刈取部と脱穀部を一体で旋回移動させることができる。
【００３１】
刈取部と脱穀部がオープン、クローズのどの位置にあっても、刈取部の左右位置に設けたキャスター４３，４３間に旋回フレーム３９の旋回中心（縦軸芯Ｑ）を配置すると共に、これら３点を結ぶ三角形（三辺Ａ，Ｂ，Ｃ）内に重心位置を設定することによって、どの旋回位置にあっても刈取脱穀部を安定よく支持することができ、旋回が容易に行える。
【００３２】
なお、左右のキャスター４３，４３は、図例に示すように、上方の収納位置と下方の作業位置とに位置変更可能な構成としてあり、旋回オープン時には、作業位置に下げてセットし、キャスターに荷重を支持させてオープンする構成としている。
【００３３】
また、図９中において、グレンタンクＧは、揚穀オーガ５０を回動中心として右側方へ旋回オープンすることができるように構成している。
【符号の説明】
【００３４】
８    排藁カッター
９    脱穀フィードチェン
１０    挟持レール
１１    扱室
１４ａ  チェンカバー
１４ｂ  カッターカバー
１４    脱穀チェンカバー
１５    メインフレーム
１６    縦支軸
１７    チェンレール
１８    ガード体
１９    プーリカバー体
２０    チェンカバー支持部材
２１    カウンタプーリ部
【図１】
2011024524.tif 000003
【図２】
2011024524.tif 000004
【図３】
2011024524.tif 000005
【図４】
2011024524.tif 000006
【図５】
2011024524.tif 000007
【図６】
2011024524.tif 000008
【図７】
2011024524.tif 000009
【図８】
2011024524.tif 000010
【図９】
2011024524.tif 000011
【図１０】
2011024524.tif 000012
【図１１】
2011024524.tif 000013